(57)【要約】【課題】低価格で簡易のガイド機構を設けると共に、横幅の広い引出しを有するキャビネット等の家具において、引出しの出し入れ動作、特に入れるときに円滑に行うことができ、確実に引出しが脱線して閉まらなくなることを防止すること。【解決手段】キャビネット１と、両壁部間に出し入れ可能な引出し２を備え、両壁部内それぞれに固定される一側壁固定ガイド３及び他側壁固定ガイド部４、引出し両側に設けられる引出し側可動ガイド部５と、垂下状縁６２を有するガイドピース６からなること。一側壁固定ガイド部３及び他側壁固定ガイド部４の手前側ガイド輪３１，４１を転動規制する可動側ガイド縁５２ａが設けられ、両引出し側可動ガイド部５の両奥側ガイド輪５１の一方を転動規制する固定側ガイド縁３２ａが形成され、他方には、壁固定ガイド部の手前側箇所のみに奥側ガイド輪５１を転動規制するガイドピース６の垂下状縁６２が取り付けられてなること。【選択図】      図１
2010110578.tif 000002
【特許請求の範囲】
【請求項１】
両側に壁部を有するキャビネットと、前記両壁部間に出し入れ可能な引出しとを備え、該引出しの両側隙間箇所の両壁部にそれぞれに固定される一側壁固定ガイド及び他側壁固定ガイド部と、前記引出しの両側に設けられる引出し側可動ガイド部と、垂下状縁を有するガイドピースからなり、
前記一側壁固定ガイド部及び前記他側壁固定ガイド部は、長手方向の前端には手前側ガイド輪が軸支されると共に細長状に形成され、前記両引出し側可動ガイド部には、前記引出しの奥側の両側に位置して設けられた両奥側ガイド輪が軸支されると共に、前記手前側ガイド輪をそれぞれ転動規制する可動側ガイド縁が形成され、前記一側壁固定ガイド部の上部又は底部には前記奥側ガイド輪を転動規制する固定側ガイド縁が形成され、前記他側壁固定ガイド部の上部又は底部の手前側箇所のみに前記奥側ガイド輪を転動規制する前記ガイドピースの垂下状縁が取り付けられてなることを特徴とする引出し装置。
【請求項２】
請求項１において、前記ガイドピースの垂下状縁は、前記他側壁固定ガイド部の上部の手前側箇所のみに前記ガイドピースの垂下状縁が下向きに取り付けられてなることを特徴とする引出し装置。
【請求項３】
請求項１において、前記ガイドピースの垂下状縁は、前記他側壁固定ガイド部の底部の手前側箇所のみに前記ガイドピースの垂下状縁が上向きに取り付けられてなることを特徴とする引出し装置。
【請求項４】
請求項１，２又は３において、前記ガイドピースの断面はクランク形をなし、平坦片の一側に前記垂下状片が形成され、前記平坦片の他側に垂直状片が形成され、前記平坦片は、前記他側壁固定ガイド部の上部又は底部と同等幅に形成されてなり、前記ガイドピースの垂直状片が前記キャビネットの壁部内面に固着されてなることを特徴とする引出し装置。
【請求項５】
請求項１，２又は３において、前記ガイドピースの断面はクランク形をなし、平坦片の一側に前記垂下状縁が形成され、前記平坦片の他側に急傾斜状の調整片と、該調整片に連続して上側に垂直状片が形成され、前記平坦片は、前記他側壁固定ガイド部の上部又は底部と同等幅に形成されてなり、前記ガイドピースの垂直状片が前記キャビネットの壁部内面に固着されてなることを特徴とする引出し装置。
【請求項６】
請求項４又は５において、前記ガイドピースの垂直状片と、前記キャビネットの壁部内面との間に適宜の厚さのスペーサが介在されてなることを特徴とする引出し装置。
【発明の詳細な説明】
【技術分野】
【０００１】
本発明は、低価格で簡易のガイド機構を設けると共に、横幅の広い引出しを有するキャビネット等の家具において、引出しの出し入れ動作、特に入れるときに円滑に行うことができ、確実に引出しが脱線して閉まらなくなることを防止した引出し装置に関する。
【背景技術】
【０００２】
従来技術において、引出しガイド機構として、特許文献１が存在している。該特許文献１には、ガイド機構として引出しの片側のみに説明されているが、他の側も同じ構造のガイド機構が設けられるタイプである。このタイプは、一般的には、キャビネット及び引出しが高精度に製造された場合に限定されるものである。ところで、引出しを備えた低価格に製造されたキャビネットが存在している。特に、従来技術としての図８乃至図１０に示すように、両側に壁部１１，１１を有するキャビネット１と、前記両壁部１１，１１間に出し入れ可能な引出し２とを備え、該引出し２の両側隙間のガイド収納室Ｓ，Ｓが設けられ、前記引出し２の横幅が広いものが多く、沢山収納できるものである。さらに、低価格としたものであっても、キャビネット１には、引出し２の出し入れ動作を円滑にするためのガイド機構［図８（Ａ）の（ア）箇所及び図９（Ａ）の（イ）箇所参照］が前記引出し２の両側に装着されているものが多い現状である。
【特許文献１】特開平１０−２１１０４５号
【０００３】
そのガイド機構の具体例としては、一方［図９（Ａ）おいて右側参照］の壁部１１に固定される一側壁固定ガイド部３と、その他方［図８（Ａ）おいて左側参照］の壁部１１に固定される他側壁固定ガイド部４と、前記引出し２の両側に設けられる引出し側可動ガイド部５，５とから構成され［図８（Ｂ）及び図９（Ｂ）参照］、前記一側壁固定ガイド部３及び前記他側壁固定ガイド部４と、前記引出し側可動ガイド部５，５とが相対的に移動するように構成されている。前記一側壁固定ガイド部３と、他側壁固定ガイド部４とは、殆ど左右対称に構成されているが、異なる点は、垂下状の固定側ガイド縁３２ａの有無がある。これは、引出し２とキャビネット１とのガイド収納室Ｓ，Ｓに対してガイド機構の取付精度が極めて高いものが要求される。この高い取付精度の要求に従わないと、かえって引出し２の出し入れ動作が不能となったり、或いはスムーズな可動のために経験的に、前記他側壁固定ガイド部４が適宜変更するように作成されている。
【０００４】
特に、前記一側壁固定ガイド部３，前記他側壁固定ガイド部４及び前記引出し側可動ガイド部５について、図８，図９及び図１１に基づいて説明すると、前記一側壁固定ガイド部３は、長手方向の前端（キャビネット１の表側）には手前側ガイド輪３１が軸支されると共に、細長状の取付部３３の上下に、長手方向に沿って垂下状の固定側ガイド縁３２ａ付き上部３２及び底部３４がそれぞれ形成されている。また、前記他側壁固定ガイド部４は、長手方向の前端（キャビネット１の表側で、図１１において下側）には手前側ガイド輪４１が軸支されると共に、細長状の取付部４３の長手方向に沿って上部４２のみが形成されて構成されている。
【０００５】
前記引出し側可動ガイド部５，５には、前記手前側ガイド輪３１を転動する上部５２及び垂下状の可動側ガイド縁５２ａが形成されると共に、前記引出し２の奥側の両側に設けられた両奥側ガイド輪５１，５１それぞれが前記一側壁固定ガイド部３の固定側ガイド縁３２ａ付き上部３２及び前記他側壁固定ガイド部４の上部４２を転動可能に配置されている。前記可動側ガイド縁５２ａは前記手前側ガイド輪３１を、前記固定側ガイド縁３２ａは前記奥側ガイド輪５１をそれぞれ転動規制する。
【０００６】
つまり、具体的には、図９に示すように、表側から引出し２を見た場合、右側のガイド収納室Ｓには、前記引出し２の先端側に設けた奥側ガイド輪５１の回転規制をするために、前記上部３２の固定側ガイド縁３２ａが形成されている。該固定側ガイド縁３２ａの存在によって、引出し２の出し入れの動作をしても奥側ガイド輪５１は脱輪しない。ところで、図８に示すように、表側から引出し２を見た場合、左側のガイド収納室Ｓには、前記引出し２の先端側に設けた奥側ガイド輪５１の回転規制をする、前記一側壁固定ガイド部３の上部３２は、単に平坦状に形成されているのみで、垂下状の縁などは一切形成されていない。これが、前述したように、引出し、キャビネット双方の高い精度や、ガイド機構の高い取付精度の要求に従わないと、かえって引出しの出し入れ動作に重大に支障をきたす。
【０００７】
低価格に製造されたキャビネット１として、引出し２の横幅が広いものとして販売され、さらに、近時では、取手として、その中央位置に付けられたタイプではなく、図１０（Ａ）に示すように、引出し２の正面板２２の全幅に凹部（取っ手の役割）を一体形成したＬ形部材２２ａを設けた高級デザインとされている製品が多く販売されている現状である。すると、低価格ゆえに、キャビネット１及び引出し２の完成寸法にも誤差が生じていることが多い［図１２（Ａ）乃至（Ｃ）参照］。この完成寸法誤差は、板材の質、価格性などに影響している。そこで、例えば、低価格で製造されたキャビネット１の広がりタイプでも、窄まりタイプにガイド機構を設けるとする。そのとき、正確なガイド機構を設け、閉まった状態で、整然として収めていても、引出し２を入れようとしたときにはある程度入れられるが、それ以上、奥に入れられない。また、仮に、入れたとしても、出そうとしても、殆ど動かない状態になる重大な欠点がある。
【０００８】
これを回避するには、高級家具対応を考慮するのではなく、ガイド機構そのものの順応性を改善することである。このために、前述したように、前記一側壁固定ガイド部３の上部３２は、単に平坦状を成しているのみすることで、低価格で製造されたキャビネットの広がりタイプでも、窄まりタイプでも、ガイド機能の利点を生かしてスライドさせることができるようにして構成されている。ところで、最近の問題として、浮上したのは、引出し全幅に凹部（取っ手の役割）を一体形成した部材を設けた高級デザインとされている製品が多く販売されている現状であり、このようなタイプでも、対応できることが求められている。特に、引出しを開けた状態から、収納させる状態に閉めようとするときである。この開け閉めについて、説明してみる。
【０００９】
引出し２がキャビネット１に収納されている状態では、一側壁固定ガイド部３と引出し側可動ガイド部５、他側壁固定ガイド部４と引出し側可動ガイド部５とがそれぞれガイド輪による転動関係が保持されている。そこで、引出し２をキャビネット１から引き出すときには、前記引出し側可動ガイド部５，５が前記一側壁固定ガイド部３及び他側壁固定ガイド部４から前記ガイド輪を介して滑らかに迫り出し、引出し２は、安定した引き出し動作にすることができる。しかし、キャビネット１から一旦、引き出した引出し２は、スムーズに入れられない。つまり、重大な問題が発生するのは、引出し２をキャビネット１に収納しようとしたときである。このとき、引出し２内に、重量物が入っている場合には特に顕著である。つまり、図１０（Ｂ）に示すように、引出し正面板の幅方向中心の位置から距離Ｌだけ離れた引出し２の端部位置を押すと、その押す力Ｆによって、前記引出し２には回転モーメントＭがかかり、引出し２は水平面上で回転しようとする。この回転によって、奥側ガイド輪５１は前記他側壁固定ガイド部４から外れ、脱輪する。
【００１０】
この点を詳述すると、図１１に示すとおりである。つまり、引出し２を全開した状態で該引出し２の左端を押すと［図１１（Ａ）参照］、回転モーメントＭがかかり、引出し２は水平面上で回転しようとすると共に、奥側に移動する［図１１（Ｂ）参照］。このとき、奥側ガイド輪５１は前記他側壁固定ガイド部４の上部４２から少し外れる。さらに、引出し２を奥側に押し、回転角度θとなった時には、奥側ガイド輪５１は前記他側壁固定ガイド部４の上部４２から完全に外れて脱輪する［図１１（Ｃ）及び図１０（Ｂ）参照］。これらの押圧動作は、実際には、瞬時である。その脱輪の瞬間に、前記奥側ガイド輪５１が脱輪した側の引出し２は大きく落下状態となる。重量物が存在した場合には、ガタンと落ちて、重量物が散在したり、落ちることもあり、極めて危険な状態となる。
【発明の開示】
【発明が解決しようとする課題】
【００１１】
このため、少なくとも、このような危険を防止すると共に、低価格の引出し装置を有するキャビネットであっても、安全且つ良好なガイド機構の改善及び改良が求められている。このため、本発明が解決しようとする課題（技術的課題又は目的等）は、引出しを備えたキャビネット等の家具において、低価格で且つ簡易な構造としたものであっても、引出しのキャビネットへの収納動作を円滑に行えるように実現することにある。さらには、特に、重量物が存在した場合にはガイド輪の脱輪を防止し、引出しの落下状態及び収納した重量物などの散在を回避することにある。
【課題を解決するための手段】
【００１２】
そこで、発明者は上記課題を解決すべく鋭意，研究を重ねた結果、請求項１の発明を、両側に壁部を有するキャビネットと、前記両壁部間に出し入れ可能な引出しとを備え、該引出しの両側隙間箇所の両壁部にそれぞれに固定される一側壁固定ガイド及び他側壁固定ガイド部と、前記引出しの両側に設けられる引出し側可動ガイド部と、垂下状縁を有するガイドピースからなり、前記一側壁固定ガイド部及び前記他側壁固定ガイド部は、長手方向の前端には前側ガイド輪が軸支されると共に細長状に形成され、前記両引出し側可動ガイド部には、前記引出しの奥側の両側に位置して設けられた両奥側ガイド輪が軸支されると共に、前記前側ガイド輪をそれぞれ転動規制する可動側ガイド縁が形成され、前記一側壁固定ガイド部の上部又は底部には前記奥側ガイド輪を転動規制する固定側ガイド縁が形成され、前記他側壁固定ガイド部の上部又は底部の手前側箇所のみに前記奥側ガイド輪を転動規制する前記ガイドピースの垂下状縁が取り付けられてなることを特徴とする引出し装置としたことにより、前記課題を解決した。
【００１３】
請求項２の発明を、請求項１において、前記ガイドピースの垂下状縁は、前記他側壁固定ガイド部の上部の手前側箇所のみに前記ガイドピースの垂下状縁が下向きに取り付けられてなることを特徴とする引出し装置としたことにより、前記課題を解決した。請求項３の発明を、請求項１において、前記ガイドピースの垂下状縁は、前記他側壁固定ガイド部の底部の手前側箇所のみに前記ガイドピースの垂下状縁が上向きに取り付けられてなることを特徴とする引出し装置としたことにより、前記課題を解決した。請求項４の発明を、請求項１，２又は３において、前記ガイドピースの断面はクランク形をなし、平坦片の一側に前記垂下状片が形成され、前記平坦片の他側に垂直状片が形成され、前記平坦片は、前記他側壁固定ガイド部の上部又は底部と同等幅に形成されてなり、前記ガイドピースの垂直状片が前記キャビネットの壁部内面に固着されてなることを特徴とする引出し装置としたことにより、前記課題を解決した。
【００１４】
請求項５の発明を、請求項１，２又は３において、前記ガイドピースの断面はクランク形をなし、平坦片の一側に前記垂下状縁が形成され、前記平坦片の他側に急傾斜状の調整片と、該調整片に連続して上側に垂直状片が形成され、前記平坦片は、前記他側壁固定ガイド部の上部又は底部と同等幅に形成されてなり、前記ガイドピースの垂直状片が前記キャビネットの壁部内面に固着されてなることを特徴とする引出し装置としたことにより、前記課題を解決した。請求項６の発明を、請求項４又は５において、前記ガイドピースの垂直状片と、前記キャビネットの壁部内面との間に適宜の厚さのスペーサが介在されてなることを特徴とする引出し装置としたことにより、前記課題を解決したものである。
【発明の効果】
【００１５】
請求項１の発明においては、前記キャビネットから一旦、引出しを引き出した後であっても、スムーズに入れることができる。つまり、引出しを一旦引き出した後でも、前記ガイドピースにて引出しの前側ガイド輪を初期動作のみ誘導することができる。特に、他側壁固定ガイド部の上部又は底部の手前側箇所のみ、すなわち、所定長さのみにガイドピースの垂下状縁を設けたことが重要である。つまり、手前側箇所のみであるため、たとえ、ひずみが生じている引出しを備えたキャビネットでも、ひずみが生じている該キャビネットに引出しを備えたものでも、該引出しの出し入れを全てスムーズにできる。請求項２の発明では、他側壁固定ガイド部の上方位置にガイドピースを設けるため、既存の引出しを備えたキャビネットに対して良好に対応できる。
【００１６】
また、請求項３の発明では、他側壁固定ガイド部の下側位置にガイドピースを設けるため、新規などの引出しを備えたキャビネットに対して、上から見えず美観も良く良好に対応できる。請求項４の発明では、前記ガイドピースは単にクランク状であり、簡易な構成に関わらず、請求項１の発明と同様な効果を得ることができる。さらに、請求項５の発明では、調整片を押圧しながら螺子などで締付けることで、その垂下状縁の位置を変えることで、どのような変形ひずみなどが生じ易い、安価な引出しを備えたキャビネットに良好に対応できる。さらに、請求項６の発明では、請求項５と同様の効果を奏する。
【発明を実施するための最良の形態】
【００１７】
以下、本発明の実施形態について図面に基づいて説明すると、図１乃至図２は、本発明の第１実施形態であり、両側に壁部１１，１１を有するキャビネット１と、前記両壁部１１，１１間に出し入れ可能な引出し２とを備え、該引出し２の両側隙間のガイド収納室Ｓ，Ｓの一方（図１及び図２において右側）の壁部１１に固定される一側壁固定ガイド部３と、その他方（図１及び図２において左側）の壁部１１に固定される他側壁固定ガイド部４と、前記引出し２の両側板２１，２１に設けられる引出し側可動ガイド部５，５と、クランク形をなしたガイドピース６から構成されている。前記引出し側可動ガイド部５には、前記手前側ガイド輪３１を転動する上部５２が設けられているが、その取付部５３は、前記引出し２の両側板２１，２１とは別部材にて構成されているが（図１及び図２参照）、その取付部５３と両側板２１，２１とを同一部材として、側部２１，２１として構成することある（図５参照）。
【００１８】
該ガイドピース６の断面は平坦片６１の一側に前記垂下状縁６２が形成され、前記平坦片６１の他側に、取付用の垂直状片６３が形成されている。前記平坦片６１は、前記他側壁固定ガイド部４の上部４２又は底部４４と同等幅に形成されている。また、前記ガイドピース６の垂直状片６３が前記キャビネット１の壁部１１内面にビスなどの取付具７にて固着されている。前記他側壁固定ガイド部４の上部４２の手前側箇所のみ［図１（Ｂ）及び図３において下側参照］に前記ガイドピース６が取り付けられている。具体的には、図４において前記キャビネット１の表面側なる左端箇所寄りの前記他側壁固定ガイド部４の手前側ガイド輪４１の取付位置より数ｃｍ程度奥側から約１０ｃｍ程度の長さを有している。特に、重要なことは、前記上部４２の内の一部のみに設けたことが重要である。この点は後述する。
【００１９】
次に、本発明において、引出し２を閉じる作業について説明する。本発明では、図３（Ａ）及び（Ｂ）に示すように、引出しの左側端箇所を押したとすると［図３（Ａ）参照］、回転力なるモーメントＭが加わるが［その根拠は図１０（Ｂ）参照］、その引出し２の奥側の奥側ガイド輪５１は、前記ガイドピース６の垂下状縁６２の存在によって脱輪しないで、直進する［図３（Ｂ）参照］。すると、その後には、該垂下状縁６２が存在しなくとも、慣性の作用によってスムーズに直進する［図３（Ｃ）参照］。この状態でモーメントＭが加わっていたとしても、スムーズな動きで閉められる。その後は記載してないが、最後にきちっと閉まるまで、スムーズにできる。これは、略瞬時の操作にてできる。
【００２０】
前記他側壁固定ガイド部４の手前側ガイド輪４１の取付位置より数ｃｍ程度奥側から約１０ｃｍ程度の長さとしているのは（前記上部４２の内の一部のみ）、キャビネット１及び引出し２の完成品の寸法誤差による。すなわち、図１２（Ａ）乃至（Ｃ）に示すように、前記ガイド収納室Ｓの手前側と奥側とが歪みが生じている場合、特に、図１２（Ａ）と（Ｃ）の場合には、前記ガイドピース６が前記上部４２の内の一部のみ（手前側）に設けることで、やっと、引出し２の開け閉め作業ができるものである。
【００２１】
このように、仮に、引出しの奥側ガイド輪５１に対して、前記他側壁固定ガイド部４にも、一側壁固定ガイド部３にも、双方に亘り回転規制の固定側ガイド縁を設けたとすると、図１２（Ａ）に示すように、広幅のキャビネット１において引出し２は正確に作成されているが（このときの手前側の間隔ｍとする）キャビネット１に奥側が広くなる寸法誤差（＋α）が生じている場合には、引出し２を全開したときには、問題が生じにくいが、閉じようとすると、閉じることができない。また、図１２（Ｂ）に示すように、引出し２は正確に作成されているがキャビネット１に奥側が窄まる寸法誤差（−β）が生じている場合には、引出し２を閉じているときには、問題が生じにくいが、開けようとすると、開けられない。
【００２２】
さらに、図１２（Ｃ）に示すように、キャビネット１は正確に作成されているが引出し２の奥側が広くなる寸法誤差（＋γ）が生じている場合にも、引出し２を全開又は閉じたときの何れかの場合に、問題が生じなくともその動きなどにスムーズにできない重大な欠陥があるため、全長さに固定側ガイド縁を設けることはできないという問題があったが、本発明では、一部にすることによって、スムーズにできるのみならず、安価に提供できるものである。また、前述の説明において、前記一側壁固定ガイド部３は、図１及び図２において右側とし、前記他側壁固定ガイド部４は、図１及び図２において左側としたが、この逆も成立つものであり、実施形態に制限されない。
【００２３】
図６（Ｄ）に示すように、スペーサ８を介在させることで、前記ガイドピース６の平坦部６１の幅を適宜調整できる。また、図７に示すように、前記ガイドピース６に対して調整片６４を介して垂直状片６３を設けることで、図７（Ｂ）に示すように、最大幅Ｌmaxにでき、その途中では、適宜な幅Ｌ1にできる。さらに、調整片６４をビスなどの取付具７にて締め付けることで、最小幅Ｌminにできる。
【図面の簡単な説明】
【００２４】
【図１】（Ａ）は本発明の横断平面図、（Ｂ）は（Ａ）の両側箇所の要部拡大図、（Ｃ）は（Ｂ）のＰ−Ｐ矢視断面図である。
【図２】図１（Ｃ）の要部拡大断面図である。
【図３】（Ａ）は本発明において引出しが最大に開いた状態から閉じようとする状態の要部横断平面図、（Ｂ）は本発明において少し閉じた状態となった要部横断平面図、（Ｃ）は本発明においてさらに閉じた状態の要部横断平面図である。
【図４】（Ａ）は引出しが開いた状態の要部側面図、（Ｂ）は少し閉じた状態となった要部側面図、（Ｃ）はさらに閉じた状態の要部側面図である。
【図５】本発明の別の実施形態の縦断面図である。
【図６】（Ａ）は本発明の要部斜視図、（Ｂ）は（Ａ）の箇所の断面図、（Ｃ）は（Ｂ）とは上下逆とした断面図、（Ｄ）はスペーサを介在させた要部断面図である。
【図７】（Ａ）は本発明の他の実施形態の要部斜視図、（Ｂ）は（Ａ）の箇所の最大幅とした断面図、（Ｃ）は（Ａ）の箇所の適宜の幅とした断面図、（Ｄ）は（Ａ）の箇所の最小幅とした断面図である。
【図８】（Ａ）は従来技術としてのキャビネット及び引出しの縦断面図、（Ｂ）は（Ａ）の（ア）箇所の拡大断面図、（Ｃ）は（Ｂ）の引出しのガイド輪箇所の断面図、（Ｄ）は（Ｂ）を左右側に分離した状態の断面図である。
【図９】（Ａ）は従来技術としてのキャビネット及び引出しの縦断面図、（Ｂ）は（Ａ）の（イ）箇所の拡大断面図、（Ｃ）は（Ｂ）の引出しのガイド輪箇所の断面図、（Ｄ）は（Ｂ）を左右側に分離した状態の断面図である。
【図１０】（Ａ）は広幅のキャビネットにおいて引出しを開けた状態の斜視図、（Ｂ）は（Ａ）において引出しを閉じる操作をしている横断平面図である。
【図１１】（Ａ）は従来技術において引出しが最大に開いた状態から閉じようとする状態の要部横断平面図、（Ｂ）は従来技術において少し閉じた状態となった要部横断平面図、（Ｃ）は従来技術においてさらに閉じた状態で、図１０（Ｂ）の（ウ）の要部横断平面図である。
【図１２】（Ａ）は広幅のキャビネットにおいて引出しは正確に作成されているがキャビネットに奥側が広くなる寸法誤差が生じている横断平面図、（Ｂ）は広幅のキャビネットにおいて引出しは正確に作成されているがキャビネットに奥側が窄まる寸法誤差が生じている横断平面図、（Ｃ）は広幅のキャビネットにおいてキャビネット正確に作成されているが引出しは奥側が広くなる寸法誤差が生じている横断平面図である。
【符号の説明】
【００２５】
１…キャビネット、１１…壁部、２…引出し、３…一側壁固定ガイド部、
３１，４１…手前側ガイド輪、３２ａ…固定側ガイド縁、４…他側壁固定ガイド部、
５…引出し側可動ガイド部、５１…奥側ガイド輪、５２ａ…可動側ガイド縁、
６…ガイドピース、６１…平坦片、６２…垂下状縁、６３…垂直状片、
６４…調整片、８…スペーサ。
【図１】
2010110578.tif 000003
【図２】
2010110578.tif 000004
【図３】
2010110578.tif 000005
【図４】
2010110578.tif 000006
【図５】
2010110578.tif 000007
【図６】
2010110578.tif 000008
【図７】
2010110578.tif 000009
【図８】
2010110578.tif 000010
【図９】
2010110578.tif 000011
【図１０】
2010110578.tif 000012
【図１１】
2010110578.tif 000013
【図１２】
2010110578.tif 000014